(57)【要約】【課題】透過する光の色特性を変化させる光学アクセサリを照明装置の発光部の前方に取り付けた場合でも適正な発光制御を行うことができるようにする。【解決手段】発光部にカラーフィルター１０１が装着された際、検出用光源１０２からの光を、カラーフィルターを介して透過光としてカラーセンサー１０３で受けて、マイコン５０は透過光に応じてその透過光色度情報を求める。マイコン５０は透過光色度情報に応じてカラーフィルターの装着による発光部からの照射される光量の低下を補正するフィルター補正量を求めて、撮影の際に用いられ所定の発光基準量を、フィルター補正量で補正して補正発光基準量を得、補正発光基準量で発光部を発光制御する。【選択図】図１
2013182001.tif 000002
【特許請求の範囲】
【請求項１】
透過する光の色特性を変化させる光学アクセサリを発光部の前方に取り付け可能な照明装置の当該発光部の前方に取り付けられた前記光学アクセサリの透過特性に関する情報を取得する取得手段と、
前記取得手段により取得された前記透過特性に関する情報に基づいて、前記発光部の前方に前記光学アクセサリを取り付けているときの前記照明装置の発光量制御に関する制御値を設定する設定手段と、
を有することを特徴とする発光制御装置。
【請求項２】
前記設定手段は、所定の光量を被写体に照射するために、前記発光部の前方に前記光学アクセサリを取り付けているときのほうが前記発光部の前方に前記光学アクセサリを取り付けていないときよりも前記照明装置の光源の発光量が大きくなるように、前記制御値を設定することを特徴とする請求項１に記載の発光制御装置。
【請求項３】
前記照明装置の光源の発光量を検出する検出手段と、
前記検出手段により検出された前記発光量が所定値に達すると当該光源の発光を停止させる制御手段と、を有し、
前記取得手段は、前記透過特性に関する情報として、前記光源を発光させたときに前記光学アクセサリによる反射される光量に関する情報を取得することを特徴とする請求項１または２に記載の発光制御装置。
【請求項４】
透過する光の色特性を変化させる光学アクセサリを発光部の前方に取り付け可能な照明装置の当該発光部の前方に取り付けられた前記光学アクセサリの透過特性に関する情報を取得する取得ステップと、
前記取得ステップにより取得された前記透過特性に関する情報に基づいて、前記発光部の前方に前記光学アクセサリを取り付けているときの前記照明装置の発光量制御に関する制御値を設定する設定ステップと、
を有することを特徴とする発光制御方法。
【発明の詳細な説明】
【技術分野】
【０００１】
本発明は、発光制御装置及び発光制御方法に関し、特に、透過する光の色特性を変化させる光学アクセサリを照明装置の発光部の前方に取り付けた際の制御に関する。
【背景技術】
【０００２】
一般に、カメラで用いられるストロボ装置（以下、単にストロボとする）等の照明装置においては、その光源としてキセノン管等の放電管が用いられている。キセノン管を用いたストロボにおける照射光（ストロボ光）の色温度は、太陽光付近（６０００Ｋ）に設定されている。このため、当該色温度と異なる色温度の環境下において、ストロボを用いて撮影を行うと不自然な色の撮像画像となってしまうことがある。
【０００３】
そこで、ストロボの発光部の前方にカラーフィルター等の光学アクセサリを取り付けたフィルターホルダーを装着して、ストロボの照射光の色温度を変更する方法がある。
【０００４】
一方、ストロボを発光させた際の発光量を測定した結果を基準データとしてメモリに格納し、撮影に際してストロボの発光量制御を行う際に、メモリから読み出した基準データに応じて発光量制御を行なうようにしたものがある（特許文献１参照）。このような発光量制御を行う際には、ストロボ光を測光センサーで受光して、その出力を積分した積分値が所定の値になると発光を停止させるようにしている。
【先行技術文献】
【特許文献】
【０００５】
【特許文献１】特開平９−６１９０３号公報
【発明の概要】
【発明が解決しようとする課題】
【０００６】
ところが、ストロボにカラーフィルターを装着すると、以下のような要因から実際に発光される発光量が低くなってしまい、所望の光量で撮影を行うことができないことがある。
【０００７】
ここで、カラーフィルターを装着した場合に発光量が低下する要因について図１１、１２を用いて概説する。
【０００８】
図１１はストロボの発光部を説明するための図である。そして、図１１（ａ）は発光部の前方にカラーフィルターが装着されていない状態を示す図であり、図１１（ｂ）は発光部の前方にカラーフィルターが装着された状態を示す図である。
【０００９】
発光部は光源であるＸｅ管１１を有しており、測光センサー３０はＸｅ管１１からの光を受光してＸｅ管１１の発光量をモニターする。Ｘｅ管１１の前面側（発光部の照射方向）にはフレネルパネル６４が配置され、このフレネルパネル６４によってＸｅ管１１から発せられたストロボ光が均一に広げられて照射される。そして、図１１（ｂ）においては、フレネルパネル６４の前面側にカラーフィルター１０１が装着されている。
【００１０】
いま、Ｘｅ管１１からストロボ光１０６が発せられると、その一部がフレネルパネル６４で反射してフレネル反射光１０７として測光センサー３０に向かう。また、図１１（ｂ）に示すように、ストロボ光１０６はその一部がカラーフィルター１０１で反射してフィルター反射光１０８として測光センサー３０に向かう。
【００１１】
したがって、発光部の前方にカラーフィルター１０１を装着すると、Ｘｅ管１１を発光させたときに測光センサー３０に入射する光量はフィルター反射光１０８の分だけ増加することになる。
【００１２】
図１２は、図１１（ａ）及び（ｂ）に示す測光センサー３０の出力を積分した積分値の推移を示す図である。
【００１３】
図１２において、破線はストロボ光の発光波形を示し、発光積分値（ＤＥＦ）は発光部の前方にカラーフィルター１０１が装着されていない場合の積分値を示す。また、発光積分値（ＦＩＬ）は発光部の前方にカラーフィルター１０１が装着されている場合の積分値を示す。なお、ここでは、発光部を最大出力で発光させた場合の状態が示されている。
【００１４】
図示のように、カラーフィルター１０１を装着すると、フィルター反射光の分だけ測光センサー３０の受光量が増加する結果、発光積分値（ＦＩＬ）は発光積分値（ＤＥＦ）よりも大きくなる。よって、発光積分値（ＦＩＬ）は発光積分値（ＤＥＦ）よりも早く所定の値に達してしまい、カラーフィルター１０１を装着した状態では、所望の発光量に達する前に発光が停止制御されることになる。この結果、カラーフィルターを装着すると、所望の発光量が得られない状態で撮影が実行されて、良好な画像が得られないことがある。
【００１５】
従って、本発明は、透過する光の色特性を変化させる光学アクセサリを照明装置の発光部の前方に取り付けた場合でも適正な発光制御を行うことができるようにすることを目的とする。
【課題を解決するための手段】
【００１６】
上記の目的を達成するため、本発明による発光制御装置は、透過する光の色特性を変化させる光学アクセサリを発光部の前方に取り付け可能な照明装置の当該発光部の前方に取り付けられた前記光学アクセサリの透過特性に関する情報を取得する取得手段と、前記取得手段により取得された前記透過特性に関する情報に基づいて、前記発光部の前方に前記光学アクセサリを取り付けているときの前記照明装置の発光量制御に関する制御値を設定する設定手段と、を有することを特徴とする。
【００１７】
また、本発明による発光制御方法は、透過する光の色特性を変化させる光学アクセサリを発光部の前方に取り付け可能な照明装置の当該発光部の前方に取り付けられた前記光学アクセサリの透過特性に関する情報を取得する取得ステップと、前記取得ステップにより取得された前記透過特性に関する情報に基づいて、前記発光部の前方に前記光学アクセサリを取り付けているときの前記照明装置の発光量制御に関する制御値を設定する設定ステップと、を有することを特徴とする。
【発明の効果】
【００１８】
本発明によれば、透過する光の色特性を変化させる光学アクセサリを照明装置の発光部の前方に取り付けた場合でも適正な発光制御を行うことができる。
【図面の簡単な説明】
【００１９】
【図１】本発明の第１の実施形態による照明装置で用いられる発光制御装置の一例を示す回路構成図である。
【図２】図１に示す照明装置における発光設定値ＤＡ０の算出を説明するための図である。
【図３】図１に示す照明装置において、最大出力発光の場合にバッファアンプにバッファされる積分電圧を発光基準量として記録するための発光基準量書込処理について説明するためのフローチャートである。
【図４】図１に示す発光部を正面から見た際のカラーフィルターを含むフィルターホルダー及びフィルター検出部の構造の一例を示す図である。
【図５】図１に示す照明装置で行われるカラーフィルター検出処理を説明するためのフローチャートである。
【図６】図４に示すカラーフィルターとして最も一般的な橙色系のカラーフィルターを用いた際の色度情報の一例を示す図である。
【図７】図１に示すマイコンに格納されたフィルター補正量テーブルの一例を示す図である。
【図８】図１に示す照明装置で行われる発光制御処理を説明するためのフローチャートである。
【図９】本発明の第２の実施形態による照明装置で用いられる発光制御装置におけるカラーフィルター検出処理を説明するためのフローチャートである。
【図１０】図１に示すＸｅ管（放電管）、検出用光源、及びカラーセンサーの分光特性を示す図である。
【図１１】ストロボの発光部を説明するための図であり、（ａ）は発光部にカラーフィルターが装着されない状態を示す図、（ｂ）は発光部にカラーフィルターが装着した状態を示す図である。
【図１２】図１１（ａ）及び（ｂ）に示す測光センサーの出力を積分した積分値の推移を示す図である。
【発明を実施するための形態】
【００２０】
以下、本発明の実施の形態による照明装置の一例について図面を参照して説明する。
【００２１】
［第１の実施形態］
図１は、本発明の第１の実施形態における発光制御装置としての照明装置の一例を示す回路構成図である。
【００２２】
図１において、発光制御装置は電源（例えば、電池）１を備えており、この電池１には昇圧回路（例えば、ＤＣ／ＤＣコンバータ）２が接続されている。そして、昇圧回路２によって電池電圧は所定の高圧に昇圧される。抵抗３及び４が直列接続された抵抗部が昇圧回路２に並列に接続され、さらに、この抵抗部に並列にメインコンデンサ５が接続されている。このメインコンデンサ５には所定のエネルギーが電荷として充電される。
【００２３】
抵抗８は昇圧回路２に接続され、抵抗７を介してマイクロコンピューター（マイコン）５０に接続されている。抵抗１５及びサイリスタ６が直列に接続されて昇圧回路２に並列に接続されている。サイリスタ６は後述の発光トリガー信号を起動する。
【００２４】
また、コイル９及びダイオード１０が並列に接続されて、昇圧回路２に接続されており、コイル９は発光の際の電流を制限する。ダイオード１０は発光停止の際にコイル９に蓄えられたエネルギーを環流する。そして、コイル９に光源であるＸｅ管１１が接続されている。
【００２５】
Ｘｅ管１１にはトリガー電極１２が備えられ、このトリガー電極１２はトリガートランス１３に接続されている。トリガートランス１３はＸｅ管１１の発光のためのトリガー電圧を発生する。また、トリガートランス１３の一次側にはトリガーコンデンサ１４が接続され、このトリガーコンデンサ１４は抵抗１５とサイリスタ６との接続点に接続されている。トリガーコンデンサ１４は抵抗１５によって充電される。
【００２６】
図示のように、Ｘｅ管１１にはＩＧＢＴ（Ｉｎｓｕｌａｔｅｄ  Ｇａｔｅ  Ｂｉｐｏｌａｒ  Ｔｒａｎｓｉｓｔｏｒ）１６が接続され、このＩＧＢＴ１６によってＸｅ管１１の発光及び停止制御が行われる。ＰＮＰトランジスタ１７のエミッタには抵抗２０が接続され、この抵抗は抵抗２１を介してＮＰＮトランジスタ２２のコレクタに接続されている。そして、ＩＧＢＴ１６のゲートは抵抗２０及び２１の接続点に接続されている。
【００２７】
ＰＮＰトランジスタ１７のコレクタには抵抗１８が接続され、この抵抗１８はＰＮＰトランジスタ１７のベースに接続されている。また、ＰＮＰトランジスタ１７のベースは抵抗１９を介してＮチャンネルＦＥＴ２３のドレインに接続されている。そして、ＮチャンネルＦＥＴ２３のソースは昇圧回路２に接続されている。
【００２８】
ＮＰＮトランジスタ２２のベースは抵抗２６を介してＮチャンネルＦＥＴ２４のドレインに接続され、ＮチャンネルＦＥＴ２４のドレインはＰＮＰトランジスタ１７のコレクタに接続されている。そして、ＮチャンネルＦＥＴ２４のソースは昇圧回路２に接続され、ＮチャンネルＦＥＴ２４のゲートはＮチャンネルＦＥＴ２３のゲートに接続されている。
【００２９】
ＮチャンネルＦＥＴ２４のドレインは抵抗２５を介してＰＮＰトランジスタ１７のコレクタに接続され、ＰＮＰトランジスタ１７のコレクタはコンデンサ２８とツェナーダイオード２７との並列回路に接続されている。そして、この並列回路は昇圧回路２に接続されている。
【００３０】
ツェナーダイオード２７はＩＧＢＴ１６をオンするためのゲート電圧を発生させる。コンデンサ２８はゲート電圧を安定化するために用いられる。
【００３１】
図示の発光制御装置には測光センサー３０が備えられ、測光センサー３０はＸｅ管１１からのストロボ光を受光してその発光量をモニターする。測光センサー３０は演算増幅器３１の入力端に接続され、さらに、測光センサー３０は抵抗３２を介して演算増幅器３１の出力端に接続されている。
【００３２】
演算増幅器３１の出力端は抵抗３３を介して演算増幅器３４の入力端の一方に接続されている。そして、この入力端はダイオード３５を介して演算増幅器３４の出力端に接続されている。また、演算増幅器３４の出力端は抵抗３６及び４１を介して演算増幅器（バッファアンプともいう）４３の入力端の一方に接続される。そして、演算増幅器３４及び３５によって対数増幅回路が構成される。
【００３３】
演算増幅器４３の入力端の一方は抵抗４２を介して出力端に接続される。抵抗３６及び４１の接続点には、ＮＰＮトランジスタ３９のコレクタが接続され、さらに、ＮＰＮトランジスタ３９のコレクタ−エミッタ間にはコンデンサ４０が接続されている。
【００３４】
ＮＰＮトランジスタ３９のエミッタは抵抗３８を介してベースに接続され、演算増幅器４３及び３４の入力端の他方、コンデンサ４０、及びＮＰＮトランジスタ３９のエミッタはバイアス電圧発生用の電源回路４６に接続される。また、電源回路４６は演算増幅器３１の入力端に接続されている。そして、電源回路４６は昇圧回路２に接続される。
【００３５】
コンデンサ４０は前述の対数増幅回路の出力電圧を積分するものであり、ＮＰＮトランジスタ３９は積分の開始及び停止を制御する。また、演算増幅器４３は積分出力をバッファする。以上のように、測光センサー３０、対数増幅回路及びコンデンサ４０によってＸｅ管１１の発光量を検出する。
【００３６】
コンパレータ４４の非反転入力端には演算増幅器４３の出力端が接続され、その反転入力端はマイコン５０に接続される。このコンパレータ４４は、後述するように、Ｘｅ管１１の発光出力（積分電圧）が所定値（基準電圧）になった時点で発光停止信号を発生する。そして、コンパレータ４４の出力はＡＮＤ回路４５に接続され、ＡＮＤ回路４５の出力はマイコン５０に接続される。
【００３７】
マイコン５０には発光基準量記憶部５１が接続されている。この発光基準量記憶部５１は、例えば、ＥＥＰＲＯＭやフラッシュＲＯＭなどである。
【００３８】
マイコン５０には電源スイッチ５２が備えられており、マイコン５０は接続端子５３〜５７によって撮像装置本体（カメラ本体）と接続される。接続端子５３は撮像装置本体からの発光開始信号を受信するための所謂Ｘ接点であり、接続端子５４はシリアル通信を行うためのクロック端子である。接続端子５５はシリアルデータ入力端子であり、接続端子５６はシリアルデータ出力端子である。そして、接続端子５７は充電信号出力端子である。
【００３９】
充電信号出力端子５７には抵抗６１を介してＮＰＮトランジスタ５８のエミッタが接続されている。そして、ＮＰＮトランジスタ５８のベースは抵抗５９を介してマイコン５０に接続され、さらに、抵抗６０を介して接地されている。なお、ＮＰＮトランジスタ５８のコレクタは接地されている。
【００４０】
さらに、マイコン５０には報知部であるＬＥＤ６２が接続され、ＬＥＤ６２はメインコンデンサ５の電圧が発光可能電圧に達すると点灯する。マイコン５０にはスイッチ６３が接続され、このスイッチ６３は、例えば、ホールセンサーであってフィルターホルダー１００の装着を検出する。
【００４１】
図示のように、マイコン５０にはフィルター検出部１０５が接続されている。このフィルター検出部１０５は検出用光源（例えば、白色ＬＥＤ）１０２及びカラーセンサー１０３を有しており、カラーセンサー１０３は、例えば、フォトダイオードに分光特性が異なる複数のカラーフィルターが付けられている。
【００４２】
図１には、Ｘｅ管１１を備える発光部が示されており、この発光部の前方には光学アクセサリであるフィルターホルダー１００が取り付けられている。そして、フィルターホルダー１００にはカラーフィルター１０１が装着される。また検出用光源１０２からの光をカラーセンサー１０３に向けて反射させる反射部１０４が、発光部またはフィルターホルダー１００に設けられている。また、図１１に関連して説明したように、発光部にはフレネルパネル６４及び測光センサー３０が備えられている。
【００４３】
図示のように、マイコン５０には複数の端子が備えられており、マイコン５０は端子ＣＮＴを介して昇圧回路２の発振の開始及び停止を制御する。ここでは、充電開始の際、マイコン５０は端子ＣＮＴをハイ（Ｈｉ）レベルとし、充電停止の際、端子ＣＮＴをロー（Ｌｏ）レベルとする。
【００４４】
マイコン５０は端子ＡＤ０を介してメインコンデンサ５の電圧を抵抗３及び４で分圧した電圧を受けて、マイコン５０に備えられた第１のＡ／Ｄコンバータで電圧に応じたデジタル信号に変換する。マイコン５０は端子によって発光開始信号を出力する。マイコン５０はＳＴＯＰ端子でＡＮＤ回路４５からの出力である発光停止信号を受ける。
【００４５】
マイコン５０は端子ＩＮＴから積分開始または禁止を示す積分許可信号を出力する。マイコン５０は端子ＡＤ１で演算増幅器４３の出力である積分電圧を受けて、マイコン５０に備えられた第２のＡ／Ｄコンバータでデジタル信号に変換する。マイコン５０は端子ＤＡ０からコンパレータ４４に対して発光量に応じた基準電圧を出力する。すなわち、マイコン５０は、後述するようにして求めた発光設定電圧を発光量制御に関する制御値として設定し、端子ＤＡ０からコンパレータ４４に対して基準電圧として出力する。
【００４６】
マイコン５０は端子ＥＣＫから発光基準量記憶部５１とシリアル通信を行うための通信クロックを出力する。マイコン５０は端子ＥＤＩによって発光基準量記憶部５１からシリアルにデータ（発行基準量）を入力する。マイコン５０は端子ＥＤＯからシリアルに発光基準量記憶部５１にデータを出力する。図１では、端子ＥＣＫ、ＥＤＩ、ＥＤＯを合わせて端子ＥＥＰとしている。マイコン５０は端子ＰＯＷによって電源スイッチ５２の状態を受ける。マイコン５０は端子ＯＦＦによって電源スイッチ５２と接続されたされた際、ストロボをオフ状態とする。そして、マイコン５０は端子ＯＮによって電源スイッチ５２と接続された際にストロボをオン状態にする。
【００４７】
また、マイコン５０は、Ｘ端子でカメラ本体からの発光指示信号を受ける。マイコン５０には、ＣＫ端子、ＤＩ端子、ＤＯ端子、ＣＨＧ端子、及びＬＥＤ端子が備えられている。ＣＫ端子はカメラ本体とシリアル通信を行うための同期クロックの入力端子である。ＤＩ端子はシリアル通信データの入力端子である。ＤＯ端子はシリアル通信のデータ出力端子である。ＣＨＧ端子はメインコンデンサ５の電圧が発光可能電圧に達した旨をカメラ本体に報知するための出力端子である。ＬＥＤ端子は発光可能電圧に達した旨をＬＥＤ６２で報知するための表示出力端子である。
【００４８】
なお、図１に示す例では、マイコン５０の外部に発光基準量記憶部５１を設けるようにしたが、発光基準量記憶部５１をマイコンに内蔵するようにしてもよい。
【００４９】
図１に示す発光制御装置において発光制御を行う際には、Ｘｅ管１１で発光したストロボ光を測光センサー３０で受光し、前述したように、バッファアンプ４３に積分値（発光量積分値）がバッファされる。
【００５０】
バッファアンプ４３にバッファされた発光量積分値（積分電圧）はコンパレータ４４によって監視される。当該積分電圧がカメラ本体側から送られる発光指示値に応じて設定された基準電圧に達すると、コンパレータ４４は発光停止信号を送出する。これによって、ＡＮＤ回路４５から当該発光停止信号がマイコン５０に送られて、マイコン５０はＸｅ管１１の発光を停止する。
【００５１】
ところで、測光センサー３０の感度にはセンサー毎にばらつきがあるため、照明装置毎に調整を行う。この際には、最大出力でＸｅ管１１を発光させて、ストロボ光を測光センサー３０で受光する。そして、バッファアンプ４３にバッファされた積分電圧を発光基準量Ｈとしてマイコン５０の内蔵メモリなどに記憶する。
【００５２】
いま、発光を停止させる基準電圧をＤＡ０とすると、この基準電圧（発光設定値ともいう）ＤＡ０は、カメラ本体から送られた発光指示値Ａと発光基準量Ｈとによって決定される。
【００５３】
図２は、図１に示す発光制御装置における発光設定値ＤＡ０の算出を説明するための図である。
【００５４】
図２において、発光波形は最大出力でＸｅ管１１を発光させた場合の光量の時間変化を示す。発光量積分値（ＤＥＦ）は最大出力でＸｅ管１１を発光させた場合のバッファアンプ４３にバッファされる積分電圧を示す。ここでは、メインコンデンサ５がエネルギーを全て放出して、発光波形の光量が”０”となった時、のバッファアンプ４３にバッファされた積分電圧が最大となって、この最大値が発光基準量Ｈとなる。
【００５５】
発光設定値ＤＡ０はバッファアンプ４３にバッファされた積分電圧が最大電圧となる発光基準量Ｈから発光指示値Ａを減算して求める。例えば、発光指示値Ａが最大出力発光に対して１／２発光（１段落ち）である場合には、マイコン５０は発光基準量Ｈから−１Ｆの電圧を減算して基準電圧として、コンパレータ４４に与える。
【００５６】
これによって、バッファアンプ４３にバッファされた積分電圧が発光基準量（発光基準電圧）Ｈよりも１Ｆ低い電圧値まで達した際に、マイコン５０はＩＧＢＴ１６にオフ信号を送って、Ｘｅ管１１の発光を停止する。
【００５７】
つまり、発光設定値ＤＡ０は次の式（１）によって求められる。
【００５８】
発光設定値ＤＡ０＝発光基準量Ｈ−発光指示値Ａ      （１）
続いて、前述した最大出力発光の場合にバッファアンプ４３にバッファされる積分電圧を発光基準量として記録するための発光基準量書込処理について説明する。
【００５９】
図３は図１に示す発光制御装置において、最大出力発光の場合にバッファアンプ４３にバッファされる積分電圧を発光基準量として記録するための発光基準量書込処理について説明するためのフローチャートである。なお、図示のフローチャートにおける処理はマイコン５０によって行われる。また、発光基準量の書込処理はカラーフィルター未装着状態で行われる。
【００６０】
発光基準量書込処理が開始されると、マイコン５０は発光設定値ＤＡ０を予め設定された最大値として（ＤＡ０＝ＦＵＬＬ）、フル発光とする（ステップＳ１０１）。続いて、マイコン５０はＩＧＢＴ１６を強制オンするためＳＴＡＲＴ端子をＨｉレベルとする（ステップＳ１０２）。
【００６１】
次に、マイコン５０はＴＲＩ端子を所定の時間だけＨｉレベルとしてＸｅ管１１にトリガー電圧を与えて、Ｘｅ管１１を発光させる（ステップＳ１０３）。そして、マイコン５０はＩＮＴ端子をＬｏレベルに設定して積分を開始し（ステップＳ１０４）、発光が終了するまで所定時間の間待機する（ステップＳ１０５）。
【００６２】
次に、マイコン５０はＳＴＡＲＴ端子をＬｏレベルとして、強制的にＩＧＢＴ１６をオフとして、Ｘｅ管１１の発光を停止する（ステップＳ１０６）。そして、マイコン５０はＡＤ１端子からバッファアンプ４３の出力である積分電圧（発光積分量）を読み込む（ステップＳ１０７）。その後、マイコン５０はＩＮＴ端子をＨｉレベルに設定して、積分を終了する（ステップＳ１０８）。
【００６３】
続いて、マイコン５０は予め設定された所定の手順に応じて発光基準量記憶部５１に上記の発光積分量を最大積分量として書き込む。そして、マイコン５０はこの最大積分量を発光基準量Ｈとして（ステップＳ１０９）、発光基準量書込処理を終了する。
【００６４】
次に、発光部に装着されたカラーフィルターの種類を識別して発光基準量の補正量である発光基準補正量を求めるためのフィルター検出処理について説明する。
【００６５】
図４は、図１に示す発光部を正面から見た際のカラーフィルター１０１を含むフィルターホルダー１００及びフィルター検出部１０５の構造の一例を示す図である。
【００６６】
前述のように、フィルター検出部１０５は、検出用光源１０２、カラーセンサー１０３（受光部）を有していて、カラーセンサー１０３は、例えば、フォトダイオードと分光特性が互いに異なる複数のカラーフィルターとを有している。また、フィルターホルダー１００は、検出用光源１０２が発光した検出光を反射してカラーセンサー１０３に入射させる反射部１０４を有している。
【００６７】
フィルターホルダー１００を発光部に装着すると、図１に示すスイッチ６３がオンする。スイッチ６３がオンすると、後述するカラーフィルター検出処理が開始され、検出用光源１０２から出射された光がカラーフィルター１０１を透過する。カラーフィルター１０１を透過した光はカラーフィルター１０１の分光特性によってその色が変化する。そして、カラーフィルター１０１を透過した光は反射部１０４で反射されてカラーセンサー１０３（つまり、フォトダイオード）に照射される。
【００６８】
図５は、図１に示す発光制御装置で行われるカラーフィルター検出処理を説明するためのフローチャートである。なお、図示のフローチャートにおける処理はマイコン５０で行われる。また、このカラーフィルター検出処理ではカラーフィルターの検出を行って、カラーフィルターの種類に応じて発光基準量を補正するためのフィルター補正量Ｇを求める。
【００６９】
スイッチ６３がオンとなると、マイコン５０は、検出用光源１０２を発光させない状態で、カラーセンサー１０３を介して外光（環境光）の検出を行う（ステップＳ２０１）。カラーセンサー１０３は所謂色の３原色に対応した出力を出力する。いま、外光を受けた際、カラーセンサー１０３は受光結果である３原色情報として（ｒｎ、ｇｎ、ｂｎ）を出力するものとする。
【００７０】
続いて、マイコン５０は検出用光源１０２を点灯制御して（ステップＳ２０２）、カラーフィルター１０１を透過した光をカラーセンサー１０３で受光する。カラーセンサー１０３は透過光を検出して、受光結果である３原色情報として（ｒｓ、ｇｓ、ｂｓ）を出力する（ステップＳ２０３）。
【００７１】
マイコン５０は３原色情報（ｒｎ、ｇｎ、ｂｎ）、つまり、外光色度情報（環境光色度情報）と外光明度情報とをノイズとして、３原色情報（ｒｓ、ｇｓ、ｂｓ）から３原色情報（ｒｎ、ｇｎ、ｂｎ）を除算する外光補正を行う（ステップＳ２０４）。マイコン５０は、式（２）に示す除算を行って、補正３原色情報（ｒｃ，ｇｃ，ｂｃ）、つまり、補正明度情報及び補正色度情報を求める。
【００７２】
ｒｃ＝ｒｓ−ｒｎ
ｇｃ＝ｇｓ−ｇｎ          （２）
ｂｃ＝ｂｓ−ｂｎ
そして、マイコン５０は、補正３原色情報（ｒｃ、ｇｃ、ｂｃ）に基づいて、次の式（３）によってカラーフィルター１０１を透過する透過光の色度情報（Ｂｒ，Ｃｘ，Ｃｙ）を求める（ステップＳ２０５）。
【００７３】
【数１】
2013182001.tif 000003
【００７４】
ここで、Ｍ１１〜Ｍ３３の係数を適切に選択すれば、補正３原色情報（ｒｃ、ｇｃ、ｂｃ）は、透過光の明るさを表す明度値（明度情報）Ｂｒと透過光の色度を２軸（ｘｙ色度図）で表す色度値（色度情報：透過光色度情報）Ｃｘ及びＣｙとに変換することができる。
【００７５】
図６は、図４に示すカラーフィルター１０１として最も一般的な橙色系のカラーフィルターを用いた際の色度情報Ｃｘ及びＣｙの一例を示す図である。
【００７６】
図６において、透過光における色度情報が増加すると橙色が濃くなって、カラーフィルター１０１における透過率が低下する。この結果、反射部１０４で反射する光量が低下する。このため、フィルター補正量Ｇが減少する。
【００７７】
図６に示す例では、色度情報Ｃｘとして、Ｘ１１、Ｘ１２、Ｘ２１、Ｘ２２、Ｘ３１、及びＸ３２が規定されており、色度情報Ｃｙとして、Ｙ１１、Ｙ１２、Ｙ２１、Ｙ２２、Ｙ３１、及びＹ３２が規定されている。そして、色度情報ＣｘがＸ１１以上でＸ１２以下、かつ色度情報ＣｙがＹ１１以上でＹ１２以下の範囲が第１の範囲として規定されている。
【００７８】
同様に、色度情報ＣｘがＸ２１以上でＸ２２以下、かつ色度情報ＣｙがＹ２１以上でＹ２２以下の範囲が第２の範囲として規定されている。また、色度情報ＣｘがＸ３１以上でＸ３２以下、かつ色度情報ＣｙがＹ３１以上でＹ３２以下の範囲が第３の範囲として規定されている。
【００７９】
図７は、図１に示すマイコン５０に予め記憶された、カラーフィルターを透過した光の色特性に関する情報とカラーフィルターの透過特性に関する情報とを対応付けした情報であるフィルター補正量テーブルの一例を示す図である。
【００８０】
図７において、フィルター補正量テーブルには、色度情報Ｃｘ及びＣｙとフィルター補正量Ｇとが設定されている。色度情報Ｃｘ及びＣｙには上述の第１〜第３の範囲が設定されるとともに、これ以外の色度情報Ｃｘ及びＣｙが設定されている。そして、色度情報Ｃｘ及びＣｙに対応して、フィルター補正量Ｇとしてそれぞれ”−０．９ｔ”、”−０．７ｔ”、”−０．５ｔ”、及び”０”が設定されている。
【００８１】
図７に示す”ｔ”は係数であり、係数ｔはカラーフィルター１０１が発光基準量に及ぼす影響を規定する係数であって、カラーフィルターの透過率からフィルター補正量Ｇを求める際に用いられる。また、係数ｔはＸｅ管１１と測光センサー３０、フィルターホルダー１００、及びカラーフィルター１０１との相対的な距離によって変化する。Ｘｅ管１１と光を透過するカラーフィルター１０１との距離が離れる程、係数ｔは小さくなり、カラーフィルター１０１が発光基準量に及ぼす影響も低下する。
【００８２】
再び、図５を参照して、マイコン５０は上述のようにして、色度情報Ｃｘ及びＣｙを求めると、フィルター補正量テーブルを参照して、色度情報Ｃｘ及びＣｙが第１の範囲内にあるか否かを判定する（ステップＳ２０６）。
【００８３】
色度情報Ｃｘ及びＣｙが第１の範囲内にないと（ステップＳ２０６において、ＮＯ）、マイコン５０は、フィルター補正量テーブルを参照して、色度情報Ｃｘ及びＣｙが第２の範囲内にあるか否かを判定する（ステップＳ２０７）。色度情報Ｃｘ及びＣｙが第２の範囲内にないと（ステップＳ２０７において、ＮＯ）、マイコン５０は、フィルター補正量テーブルを参照して、色度情報Ｃｘ及びＣｙが第３の範囲内にあるか否かを判定する（ステップＳ２０８）。
【００８４】
色度情報Ｃｘ及びＣｙが第３の範囲内にないと（ステップＳ２０８において、ＮＯ）、マイコン５０は色度情報Ｃｘ及びＣｙは第１〜第３の範囲外であるとして、フィルター補正量テーブルからフィルター補正量Ｇを”０”と決定する（ステップＳ２０９）。そして、マイコン５０はカラーフィルター検出処理を終了する。
【００８５】
ステップＳ２０６において、色度情報Ｃｘ及びＣｙが第１の範囲内にあると（ステップＳ２０６において、ＹＥＳ）、マイコン５０はフィルター補正量テーブルからフィルター補正量Ｇを”−０．９ｔ”と決定する（ステップＳ２１０）。そして、マイコン５０はカラーフィルター検出処理を終了する。
【００８６】
また、ステップＳ２０７において、色度情報Ｃｘ及びＣｙが第２の範囲内にあると（ステップＳ２０７において、ＹＥＳ）、マイコン５０はフィルター補正量テーブルからフィルター補正量Ｇを”−０．７ｔ”と決定する（ステップＳ２１１）。そして、そして、マイコン５０はカラーフィルター検出処理を終了する。
【００８７】
同様に、ステップＳ２０８において、色度情報Ｃｘ及びＣｙが第３の範囲内にあると（ステップＳ２０８において、ＹＥＳ）、マイコン５０はフィルター補正量テーブルからフィルター補正量Ｇを”−０．５ｔ”と決定する（ステップＳ２１２）。そして、マイコン５０はカラーフィルター検出処理を終了する。
【００８８】
なお、図５に示すフローチャートでは、カラーフィルター１０１として橙色系フィルターを例に挙げて説明したが、カラーフィルターの種類毎にフィルター補正量テーブルを備えていてもよい。そして、カラーフィルターの種類を識別するようにすれば、種々のカラーフィルターにおけるフィルター補正量Ｇを取得することができる。
【００８９】
図８は、図１に示す発光制御装置で行われる発光制御処理を説明するためのフローチャートである。なお、図示のフローチャートよる処理はマイコン５０で行われる。
【００９０】
まず、接続端子５４〜５６を介してカメラ本体側から発光指示値Ｕ（ガイドナンバー）を受信する（ステップＳ３０１：発光量の指定）。なお、発光量の指定は、閃光装置に備えられた入力部から設定するようにしてもよい。これによって、発光制御装置には前述の発光指示値Ａが指定される。
【００９１】
続いて、マイコン５０はＸ端子５３及びＣＫ端子５４がＬｏレベルとなると、発光処理を開始して、発光基準量記憶部５１に記憶された発光基準量Ｈを読み込む（ステップＳ３０２）。そして、マイコン５０は発光基準量Ｈに図５で示すようにして取得したフィルター補正量Ｇを加えて、カラーフィルター１０１による発光基準量の変化を補正した補正発光基準量Ｉを求める（ステップＳ３０３）。つまり、マイコン５０は次の式（４）に応じて補正発光基準量Ｉを求める。
【００９２】
補正発光基準量Ｉ＝発光基準量Ｈ＋フィルター補正量Ｇ      （４）
この補正発光基準量Ｉによって、カラーフィルター１０１の装着によって増加するバッファアンプ４３の積分電圧の増加分を減算することになる。
【００９３】
続いて、マイコン５０は補正発光基準量Ｉと発光指示値（発光指示量）Ａとに基づいて、式（５）によって発光設定値（発光設定量）ＤＡ０を求める（ステップＳ３０４）。
【００９４】
発光設定値ＤＡ０＝補正発光基準量Ｉ−発光指示値Ａ      （５）
次に、マイコン５０はＩＧＢＴ１６を強制オンするためにＳＴＡＲＴ端子をＨｉレベルに設定する（ステップＳ３０５）。そして、マイコン５０はＴＲＩ端子を所定時間だけＨｉレベルとして、Ｘｅ管１１にトリガー電圧を与えＸｅ管１１を発光させる（ステップＳ３０６）。その後、マイコン５０はＩＮＴ端子をＬｏレベルとして積分を開始する（ステップＳ３０７）。
【００９５】
Ｘｅ管１１の発光によってバッファアンプ４３の出力である積分電圧は上昇する。そして、積分電圧が発光設定値（発光設定電圧）ＤＡ０に達した時点で、コンパレータ４４が反転する。つまり、コンパレータ４４は発光停止信号を出力する。この発光停止信号（Ｌｏレベル）はＡＮＤ回路４５及びＩＧＢＴドライバー回路１７〜２５によってＩＧＢＴ１６のゲートに送られて、ＩＧＢＴ１６がオフする。
【００９６】
発光停止信号はマイコン５０のＳＴＯＰ端子に与えられている。マイコン５０はＳＴＯＰ端子がＬｏレベルであるか否かを判定しており（ステップＳ３０８）、ＳＴＯＰ端子にＬｏレベルが与えられないと（ステップＳ３０８において、ＮＯ）、マイコン５０はタイムアウトしたか否かを判定する（ステップＳ３０９）。
【００９７】
マイコン５０は、発光開始からの内蔵タイマーによって計時を開始して、内蔵タイマーの計時時間が予め定められた時間を超えるとタイムアウトと判定する。タイムアウトしないと（ステップＳ３０９において、ＮＯ）、マイコン５０はステップＳ３０８の処理に戻る。
【００９８】
一方、タイムアウトすると（ステップＳ３０９において、ＹＥＳ）、マイコン５０はエラーなどによって予め定められた時間で発光停止信号が得られなかったとし、ＳＴＡＲＴ端子をＬｏレベルとして、強制的にＩＧＢＴ１６をオフする（ステップＳ３１０）。これによって、Ｘｅ管１１の発光を禁止する。なお、ステップＳ３０８において、ＳＴＯＰ端子がＬｏレベルとなると（ステップＳ３０８において、ＹＥＳ）、マイコン５０はステップＳ３１０の処理に進む。
【００９９】
その後、マイコン５０はＩＮＴ端子をＨｉレベルとして積分処理を停止して（ステップＳ３１１）、発光制御処理を終了する。
【０１００】
上述の第１の実施形態では、カラーフィルターの透過特性に関する情報としてのフィルター補正量Ｇで発光基準量Ｈを補正するようにしたが、補正対象は発光基準量に限定されるものではない。補正対象が発光量制御に関する制御値（発光制御値）であれば同様の効果が得られる。例えば、発光基準量の代わりに、カメラ本体から送られる発光指示値Ｕを用いるようにしてもよい。この場合には、補正処理は照明装置及びでもカメラ本体のいずれで行うようにしてもよい。すなわち、撮像装置を本発明に係る発光制御装置とすることも可能である。
【０１０１】
カメラ本体において補正を行う場合には、フィルター補正量Ｇがマイコン５０からカメラ本体に送られて、カメラ本体ではカメラマイコンによって取得したフィルター補正量Ｇと発光指示値Ｕとから補正発光指示値Ｖ（Ｖ＝Ｕ−Ｇ）を求める。そして、カメラマイコンは補正発光指示値Ｖをマイコン５０に送る。
【０１０２】
以上のように、本発明の第１の実施形態では、照明装置に装着されたカラーフィルターの透過率に応じてフィルター補正量を算出するようにした。具体的には、所定の光量を被写体に照射するために、カラーフィルターを装着しているときのほうがカラーフィルターを装着していないときよりもＸｅ管１１の発光量が大きくなるように発光制御値を設定するようにした。そのため、カラーフィルター装着の際においても適正な発光制御を行うことができる。
【０１０３】
［第２の実施形態］
続いて、本発明の第２の実施形態による照明装置で用いられる発光制御装置の一例について説明する。なお、第２の実施形態における発光制御装置の構成は図１に示す撮像装置と同様である。また、第２の実施形態では、図５で説明したカラーフィルター検出処理が第１の実施形態と異なる。
【０１０４】
図９は、本発明の第２の実施形態による照明装置で用いられる発光制御装置におけるカラーフィルター検出処理を説明するためのフローチャートである。なお、図９において、図５で説明したステップと同一のステップについて同一の参照部号を付して説明を省略する。
【０１０５】
マイコン５０の内蔵メモリには、所定の３原色情報（カラーフィルタがない場合の３原色情報）が基準３原色情報（ｒ０，ｇ０，ｂ０）として格納されている。この基準３原色情報（ｒ０，ｇ０，ｂ０）は、カラーフィルターが装着されていない状態で、検出用光源１０２からの光をカラーセンサー１０３で受光し、図５に示すステップＳ２０４の処理を行った結果得られた３原色情報である。
【０１０６】
ステップＳ２０４の処理を行った後、マイコン５０は内蔵メモリに格納した基準３原色情報（ｒ０，ｇ０，ｂ０）を読み込む（ステップＳ４０５：ＬＥＤ出力値読込み）。続いて、マイコン５０は次のようにしてカラーフィルターの透過率（フィルター透過率）Ｓを求める（ステップＳ４０６）。
【０１０７】
例えば、マイコン５０は、補正３原色情報（ｒｃ，ｇｃ，ｂｃ）に基づいて、式（６）によってカラーフィルター１０１を透過する透過光の色度情報（Ｂｒｃ，Ｃｘｃ，Ｃｙｃ）を求める。さらに、マイコン５０は、基準補正３原色情報（ｒ０，ｇ０，ｂ０）に基づいて、式（７）によって検出用光源１０２からの光の色度情報（Ｂｒ０，Ｃｘ０，Ｃｙ０）を求める。
【０１０８】
【数２】
2013182001.tif 000004
【０１０９】
【数３】
2013182001.tif 000005
【０１１０】
ここで、Ｍ１１〜Ｍ３３の係数を適切に選択すれば、補正３原色情報（ｒｃ、ｇｃ、ｂｃ）は、透過光の明るさを表す明度値（明度情報）Ｂｒｃ及びＢｒ０に変換することができる。また、補正３原色情報（ｒｃ、ｇｃ、ｂｃ）は、透過光の色度を２軸（ｘｙ色度図）で表す色度値（色度情報）Ｃｘｃ、Ｃｘ０、Ｃｙｃ、及びＣｙ０とに変換することができる。
【０１１１】
次に、マイコン５０は上述のようにして求めた色度情報から明るさ成分Ｂｒｃ及びＢｒ０を抽出する。そして、マイコン５０は次の式（８）によってフィルター透過率Ｓを求める。
【０１１２】
Ｓ＝Ｂｒｃ／Ｂｒ０      （８）
ステップＳ４０６で求めたフィルター透過率Ｓは検出用光源１０２からの光に基づいて算出したので、Ｘｅ管１１から発光した際の透過率とはその値が異なる。従って、マイコン５０はＸｅ管１１の分光特性による透過率となるようにフィルター透過率Ｓを補正して、フィルター補正量Ｇを求める（ステップＳ４０７）。
【０１１３】
ここでは、マイコン５０はフィルター透過率ＳとＸｅ管１１、検出用光源１０２、及びカラーセンサー１０３の分光特性とに基づいてフィルター補正量Ｇを算出する。
【０１１４】
図１０は、図１に示すＸｅ管（放電管）１１、検出用光源１０２、及びカラーセンサー１０３の分光特性を示す図である。
【０１１５】
図１０に示すように、Ｘｅ管１１の発光光における分光特性は、検出用光源１０２の発光光における分光特性と異なる。従って、カラーフィルター１０１の装着によるフィルター補正量Ｇを算出する際には、分光特性の相違を考慮する必要がある。
【０１１６】
いま、Ｘｅ管１１の分光係数をＸｅとし、検出用光源１０２の分光係数をＷＬ、そして、カラーセンサー１０３の分光係数をＣｓとする。また、光の波長をλとする。
【０１１７】
この際、マイコン５０は次の式（９）に基づいて、フィルター補正量Ｇを算出する。
【０１１８】
【数４】
2013182001.tif 000006
【０１１９】
ここで、ｔはカラーフィルター１０１の透過率をフィルター補正量Ｇに変換する係数である。
【０１２０】
上述のようにして、マイコン５０は式（９）に応じてフィルター補正量を求めた後、カラーフィルター検出処理を終了する。
【０１２１】
なお、上述の実施の形態では、マイコン５０がフィルター補正量の算出を行うようにしたが、カメラ本体に備えられたカメラマイコンがカラーフィルターの透過率に応じてフィルター補正量の算出を行うようにしてもよい。
【０１２２】
このように、本発明の第２の実施形態においても、ストロボ装置に装着されたカラーフィルターの透過率を検出して、当該透過率に応じてフィルター補正量を算出するようにしたので、カラーフィルター装着の際においても適正な発光制御を行うことができる。
【０１２３】
上述の実施の形態では、照明装置における発光制御装置について説明したが、照明装置はカメラ本体（撮像装置本体）に着脱可能に装着される。そして、カメラ本体は撮影の際に発光基準量を得るための発光指令値を照明装置に送る。また、カメラ本体には、被写体の光学像をカメラ本体に与える撮像レンズユニットが装着される。
【０１２４】
以上、本発明について実施の形態に基づいて説明したが、本発明は、これらの実施の形態に限定されるものではなく、この発明の要旨を逸脱しない範囲の様々な形態も本発明に含まれる。
【０１２５】
例えば、透過する光の色特性を変化させることができ照明装置の発光部の前方に取り付け可能な光学部材であれば、１つの部材で透過する光の色特性を変化させる光学アクセサリとして用いても構わない。
【０１２６】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【０１２７】
１  電池
１１    Ｘｅ管
３０  測光センサー
５０  マイコン
１００  フィルターホルダー
１０１  カラーフィルター
１０２  検出用光源
１０３  カラーセンサー
１０４  反射部
１０５  フィルター検出部
【図１】
2013182001.tif 000007
【図２】
2013182001.tif 000008
【図３】
2013182001.tif 000009
【図４】
2013182001.tif 000010
【図５】
2013182001.tif 000011
【図６】
2013182001.tif 000012
【図７】
2013182001.tif 000013
【図８】
2013182001.tif 000014
【図９】
2013182001.tif 000015
【図１１】
2013182001.tif 000016
【図１２】
2013182001.tif 000017
【図１０】
2013182001.tif 000018